Podtech/llm-jp-corpus-v4-ja_patent huggingface dataset:
(57)【要約】      （修正有）【課題】冬期の暖房運転時における蒸発器としての換気用空気熱交換器を夏期において冷房用凝縮器として機能させるには熱交換面積が小さく充分に機能しない。【解決手段】本発明によるヒートポンプは外気を利用して夏期において冷房運転を行い、冬期においては住宅の換気排熱を利用して暖房運転が出来るシステムである。このシステムによりヒートポンプは高効率で作用しエネルギー消費の削減を図る事が出来る。夏期におけるヒートポンプ冷房運転時に、凝縮器として別途外気用空気熱交換器８を設置し、システムを構成する。【選択図】図１
2007170796.tif 000002
【特許請求の範囲】
【請求項１】
圧縮機１、四方弁２、水熱交換器３は冷媒配管にて連結する。
【請求項２】
水熱交換器３は電子膨張弁４、換気用空気熱交換器５と連結している。
【請求項３】
換気用空気熱交換器５と電動ボールバルブ６、四方弁２および圧縮機１は冷媒配管にて連結している。
【請求項４】
圧縮機１と四方弁２は電動ボールバルブ７を介して外気用空気熱交換器８と連結している。
【請求項５】
外気用空気熱交換器８は逆止弁９、電子膨張弁４を経由し、水熱交換器３に連結している。
【発明の詳細な説明】
【技術分野】
【０００１】  近年寒冷地においても夏期における冷房システムの需要が増加しており、夏期は冷房運転、冬期は暖房運転の可能な高効率ヒートポンプ装置が求められている。現状は夏期における冷房運転は可能であるが、冬期における暖房運転は外気条件により不可能である。本発明は同一システムによる夏期は冷房運転、冬期には暖房運転の出来る装置である。
【背景技術】
【０００２】  ヒートポンプによる暖冷房運転装置は温暖地においては今や主流となっている。しかし寒冷地においては夏期の冷房運転は特に問題は無いが、冬期の暖房運転が出来ない為にヒートポンプのよさを充分に活用出来ない状況にある。
【発明の開示】
【発明が解決しようとする課題】
【０００３】  寒冷地における暖房用ヒートポンプとして換気排熱を熱源とするシステムは既に公示されている。このシステムによると暖房運転専用となっており、夏期における冷房運転が出来ないシステムとなっている。これは暖房運転時に蒸発器として使用する換気用熱交換器が夏期冷房時において凝縮器として所定の凝縮作用を円滑に出来ず、システムの運転が不可能となっている。従って冬期の暖房運転には換気用熱交換器は蒸発器として極めて有効に作用するが、夏期における冷房運転の為の凝縮器としては不向きである。従って別途冷房用凝縮器を考える必要がある。
【課題を解決するための手段】
【０００４】  冬期には高効率の暖房運転を行う為に換気用空気熱交換器５は極めて有効であるが、夏期において凝縮器として使用する場合、熱交換面積が限定されるので使用は不可能である。そこで、夏期冷房用熱交換器（凝縮器）として別途外気用熱交換器８を設置する。これにより夏期における冷房運転を効率よくシステム運転が可能となる。冬期における暖房回路と夏期における冷房回路の切り替えは四方弁２と電動ボールバルブ６，７にて切り替え運転出来る様に電動的制御を実施する。
【発明の効果】
【０００５】  寒冷地における同一システムによる暖冷房運転が可能となり、ヒートポンプによる高効率運転が達成される。
【実施例】
【０００６】  本発明には次のような実施例がある。
【実施例１】
【０００７】  圧縮機１、四方弁２、水熱交換器３、電子膨張弁４、換気用空気熱交換器５、電動ボールバルブ６、７、外気用空気熱交換器８の構成からなる本システムによる実施例。
【図面の簡単な説明】
【０００８】
【図１】本発明の概要図  暖房運転  圧縮機１から吐出した高温・高圧の冷媒ガスは四方弁２を経由して水熱交換器３に入り、二次側の低温水により冷却されて凝縮液となる。冷媒ガスは電子膨張弁４に循環し、減圧されて低温・低圧の液ガス混合冷媒となる。さらに換気用空気熱交換器５に循環し、冷媒は蒸発しガス化する。ガス化された冷媒は電動ボールバルブ６を経由し、四方弁２を経て圧縮機１に入り、以下これを循環する。  冷房運転  圧縮機１から吐出した冷媒ガスは四方弁２および電動ボールバルブ７を経由して外気用空気熱交換器に循環する。ここで冷媒ガスは外気により冷却され凝縮し、液ガス混合ガスとなる。そして逆止弁９を経て電子膨張弁４に減圧され、低温・低圧の液ガス混合冷媒となり、水熱交換器３に入り蒸発ガス化する。ガス化された冷媒四方弁２を経て圧縮機１に入る。以下この順路にて循環する。
【符号の説明】
【０００９】  １．  圧縮機
２．  四方弁
３．  水熱交換器
４．  電子膨張弁
５．  換気用空気熱交換器陽
６．  電動ボールバルブ
７．  電動ボールバルブ
８．  外気用空気熱交換器
９．  逆止弁
１０．  冷温水ポンプ
【図１】
2007170796.tif 000003
(57)【要約】【課題】アイボルトを必要とせず、あるいはねじ込む作業の必要のない冷蔵庫の室外ユニットを提供する。【解決手段】冷媒圧縮機１１、送風機１３を含む凝縮器１２および制御盤１４を据え付けた室外ユニット１０のフレーム１５を、冷蔵庫本体のベースフレームＢに、据付け金具１６でもって据え付けてなる冷蔵庫の室外ユニット１０において、上記据付け金具１６を、平板の長さ方向両端を互いに逆方向直角に折り曲げて折り曲げ片１６ａと中間片１６ｂとし、片方の折り曲げ部を軸にして中間片１６ｂの一部分を切り起こして、切り起こし片１７としたもので、上記切り起こし片１７の付け根部分に切り裂き効果緩和措置を施したものである。【選択図】図１
2007170721.tif 000002
【特許請求の範囲】
【請求項１】
冷媒圧縮機（１１）、送風機（１３）を含む凝縮器（１２）および制御盤（１４）を据え付けた室外ユニット（１０）のフレーム（１５）を、冷蔵庫本体のベースフレーム（Ｂ）に据付け金具（１６）でもって据え付けてなる冷蔵庫の室外ユニット（１０）において、上記据付け金具（１６）を、平板の長さ方向の両端を互いに逆方向直角に折り曲げて折り曲げ片（１６ａ）と中間片（１６ｂ）とし、片方の折り曲げ部を軸にして中間片の一部分を長さ方向に切り起こして、切り起こし片（１７）としたことを特徴とする冷凍サイクル室外ユニット。
【請求項２】
上記切り起こし片（１７）は、中間片（１６ｂ）の長さ方向中心線に沿って設けられたことを特徴とする冷凍サイクル室外ユニット。
【請求項３】
上記切り起こし片（１７）の付け根部分に切り欠き効果の緩和措置を施したことを特徴とする請求項１又は２に記載の冷凍サイクル室外ユニット。
【発明の詳細な説明】
【技術分野】
【０００１】
この発明は、冷蔵庫、冷凍庫または製氷機（以下、単に「冷蔵庫」という）の室外ユニット（冷媒圧縮機、凝縮器等冷蔵庫本体の外側に取付けられるもの）に関し、さらに詳しくは室外ユニットを据え付ける部分に関する。
【背景技術】
【０００２】
冷蔵庫、取り分け業務用冷蔵庫の室外ユニットは、冷媒圧縮機、凝縮器等を纏めてユニットフレームに取り付け、これを一括して冷蔵庫本体のベースフレームに据え付けられるのが一般的である。
【０００３】
【特許文献１】特開平７−３１８２３２号公報（要約および図面）
【０００４】
室外ユニットに関する先行技術として特許文献１（同文献では「ユニット装置」としている。）があるが、その目的はドレンパンのドレンを効率よく蒸発させることを目的とするものである。
【０００５】
ところで、一般的な冷蔵庫の室外ユニットの据え付けは、図２、図３に示すように、平板の両端を互いに反対方向に折り曲げ、折り曲げた部分にばか孔２６ｈ
を設けた据え付け金具２６を用意し、この据え付け金具２６により冷蔵庫本体のベースフレームＢに据え付けるようにしてきた。
【０００６】
こうして据え付けられる（据え付けられた）室外ユニット２０を移動する際には、アイボルト２８をユニットフレーム２５にねじ込み、そのアイボルト２８にロープなどを掛けて移動させていた。
【発明の開示】
【発明が解決しようとする課題】
【０００７】
上記状況に鑑みこの発明は、アイボルトを必要とせず、あるいはねじ込む作業の必要のない冷蔵庫の室外ユニットを提供することを課題とする。
【課題を解決するための手段】
【０００８】
上記課題を解決するためにこの発明は、冷媒圧縮機１１、送風機１３を含む凝縮器１２および制御盤１４を据え付けた室外ユニット１０のフレーム１５を、冷蔵庫本体のベースフレームＢに、据付け金具１６でもって据え付けてなる冷蔵庫の室外ユニット１０において、上記据付け金具１６を、平板の長さ方向両端を互いに逆方向直角に折り曲げて折り曲げ片１６ａと中間片１６ｂとし、片方の折り曲げ片を軸にして中間片１６ｂの一部分を切り起こして、切り起こし片１７としたもので、上記切り起こし片１７の付け根部分に切り裂き効果緩和措置を施したものである。
【発明の効果】
【０００９】
上記の如く構成するこの発明によれば、冷蔵庫の室外ユニットを移動するために、アイボルトを用意する必要がなく、アイボルトをねじ込む作業もなくなって、室外ユニットのコストダウンと、室外ユニットの取付け、保守・保全の作業が簡略化されるようになる。
【発明を実施するための最良の形態】
【００１０】
次に図面を参照しながら本発明の説明をする。図１に示すように、この発明に係る冷蔵庫の室外ユニット１０は、冷媒圧縮機１１と、送風機１３を含む凝縮器１２と、制御盤１４がユニットフレーム１５に据付けられ、これらを据付けたユニットフレーム１５は、冷蔵庫本体のベースフレームＢに据付け金具１６により据付けられる。
【００１１】
上記据付け金具１６は平板の両端を反対方向に直角に折り曲げられて中間片１６ｂと折り曲げ片１６ａとなり、折り曲げ片１６ａにはそれぞれ据付け用のボルトが貫通する貫通孔１８が設けられている。
【００１２】
据付け金具１６の中間片１６ｂには、その中心に沿って、片方の折り曲げ部分を軸にして切り起こし、切り起こし片１７にし、この切り起こし片１７の中心にロープに取付けられたフック（図示せず）を引っ掛ける貫通孔１８が設けられている。
【００１３】
なお、上記据付け金具１６の切り起こし片１７の付け根部分に、切り欠き効果が発生するので、この部分を溶融して切り欠き効果の緩和措置を講ずることができる。また、切り起こしの前段でスリットを入れるときにスリットの最奥部分に丸孔を形成して切り欠き効果の緩和措置とすることもできる。
【００１４】
以上説明したようにこの発明に係る室外ユニットによれば、据付け金具のベースフレーム側のボルトを外して、据付け金具の切り起こしの貫通孔にロープ端のフックを掛けて簡単に移動させることができる。
【産業上の利用可能性】
【００１５】
以上説明したようにこの発明によれば、室外ユニットを据付け、取り外すときいちいちアイボルトを用意し、ねじ込む必要がなくなり材料費と工数、据付け移動作業が容易になって産業上の効果を発するものである。
【図面の簡単な説明】
【００１６】
【図１】（ａ）本発明に係る屋外機ユニットの平面図、（ｂ）同側面図、（ｃ）同据付け金具の拡大斜視図
【図２】（ａ）従来例の屋外機ユニットの平面図、（ｂ）同側面図
【図３】（ａ）従来例の据付け金具の拡大斜視図、（ｂ）アイボルトの斜視図
【符号の説明】
【００１７】
１０，２０  室外ユニット
１１，２１  冷媒圧縮機
１２，２２  凝縮器
１３，２３  送風機
１４，２４  制御盤
１５，２５  （ユニットの）フレーム
１６，２６  据付け金具
１６ａ，２６ａ  折り曲げ片
１６ｂ，２６ｂ  中間片
１７  切り起こし片
１８  貫通孔
２６ｈ  ばか孔
２８  アイボルト
【図１】
2007170721.tif 000003
【図２】
2007170721.tif 000004
【図３】
2007170721.tif 000005
(57)【要約】【課題】従来は、牛糞等は水分が８０％〜９０％有り乾燥処理は非常に困難でした。乾燥炉は、従来、内燃式と外燃式とに大別され、内燃式は、直接加熱されるので乾燥は速いが炭化物が燃焼炉に付着し、排出する事が困難になる。一方、内燃式は、乾燥に時間が掛かりコストも非常に掛かる欠点が有った。【解決手段】上述した従来の問題点を解決しようと、内燃式と外燃式とを融合し、乾燥物に炉内の熱風を強制的に乾燥筒に導き、燃焼炉を円形にする事により、燃焼炉面積を縮小し乾燥度合いを向上させ、燃費を削減させる為に考案された物である。【選択図】        図１
2007170701.tif 000002
【特許請求の範囲】
【請求項１】
乾燥物に炉内の熱風を強制的に乾燥筒に導く為、乾燥度合いが飛躍的に向上し、燃費コストを大幅に削減出来る。
【請求項２】
燃焼炉を円形にする事により、燃焼炉面積を縮小し、効率よく乾燥物に熱を伝える事が出来るようにした。
【発明の詳細な説明】
【技術分野】
【０００１】
本発明は、牛糞、鶏糞、豚糞、生ごみ等の水分の多い物を乾燥処理し、廃棄物を肥料等の再利用に寄与し、乾燥物に炉内の熱風を強制的に乾燥筒に導くことにより、乾燥処理量を飛躍的に向上させ燃焼効率も格段の省エネを実現できる乾燥装置に関すものである。
【背景技術】
【０００２】
従来、牛糞等は水分が８０％〜９０％有り乾燥処理は非常に困難でした。乾燥炉は、従来、内燃式と外燃式とに大別され、内燃式は、直接加熱されので乾燥は速いが炭化物が燃焼炉に付着し、排出する事が困難になる。一方、外燃式は、乾燥に時間が掛かりコストも非常に掛かる欠点が有った。
【０００３】
【特許文献１】特開２００４−１８８０８号公報
【特許文献２】特許第３０２１３８７号公報
【発明の開示】
【発明が解決しようとする課題】
【０００４】
本発明は、上述した従来の問題点を解決しようと、内燃式と外燃式とを融合し、乾燥物に炉内の熱風を強制的に乾燥筒に導き、燃焼炉を円形にする事により、燃焼炉面積を縮小し、処理量、乾燥度合いを向上させ、燃費を削減させる為に考案された物である。
従来、特許公開２００４−１８８０８では効率よく乾燥出来ず、特許第３０２１３８７号の方式だと乾燥後の排出が困難でスムーズに乾燥出来なかった。
【課題を解決するための手段】
【０００５】
本発明は、乾燥物に炉内の熱風を強制的に乾燥筒に導かれ、燃焼炉を円形にする事により、燃焼炉面積を縮小し、効率よく乾燥物に熱を伝える事により乾燥効率を飛躍的に向上できる乾燥炉である。
【発明の効果】
【０００６】
上述の如く、本発明は、牛糞等の水分の多い物を内燃式と外燃式の融合により、連続的に牛糞等を乾燥する事が出来、燃焼コストを削減し、安定して乾燥処理する事が出来る構造になり、他に類を見ない。よつて、本発明の構成は新規であり、その利用による効果は大きい。
【発明を実施するための最良の形態】
【０００７】
発明を実施するための最良の形態を実施例にもとづき図面を参照して説明する。
図１、１投入口に牛糞等が投入され、４第一バーナー、５第二バーナーにより６セラミックス炉内が熱せられ、３熱風取り入れパイプより乾燥筒に導かれ、乾燥物に熱風が当たり蒸気が高温になり外気との温度差により強制的に蒸気排出パイプから煙突に排出される。又、２図、燃焼炉を円形にする事により乾燥筒に効率よく熱を伝える事ができ、燃費の削減をする事ができる。
尚、８ダンパーにより、炉内温度を制御し効率よく乾燥させる。１０排出口より乾燥物が排出される。
【産業上の利用可能性】
【０００８】
本発明は、近年、環境汚染、公害問題等になっている牛糞、生ごみ等を乾燥する事により、軽量化でき、保存、運搬が容易になり肥料としても再利用でき、乾燥物に炉内の熱風を強制的に乾燥筒に導く事により、乾燥量を多くし、燃費を削減でき、利用用途は、計り知れない。
【図面の簡単な説明】
【０００９】
【図１】乾燥処理装置の立面断面図である。
【図２】乾燥処理装置の側面断面図である。
【符号の説明】
【００１０】
１  投入口
２  スクリュウ
３  熱風取り入れパイプ
４  第一バーナー
５  第二バーナー
６  セラミックス燃焼筒
７  蒸気排出パイプ
８  ダンパー
９  煙突
１０  排出口
【図１】
2007170701.tif 000003
【図２】
2007170701.tif 000004
(57)【要約】【課題】本発明は、簡単にルーバー本体にカバーを固定できる構造を提供することを目的としている。【解決手段】本発明に係るルーバーのカバー取り付け構造は、ルーバーを構成するルーバー本体３とカバー４とには相互に係合可能である凸部８と凹部９とを設け、凸部８と凹部９とを係合させ、カバー４をルーバー本体３に固定し、キャビネットにファン等を取り付け振動が起こりやすいような場合にも、カバー４が回転してしまうのを防止する。【選択図】図１
2007170746.tif 000002
【特許請求の範囲】
【請求項１】
各種機器を収納するキャビネットの内部の換気を行うための換気口を被覆するルーバーのカバー取り付け構造であって、前記ルーバーを構成するルーバー本体と前記カバーとには相互に係合可能である凸部と凹部とを設け、前記凸部と凹部とを係合させ、前記カバーを前記ルーバー本体に固定することを特徴とするルーバーの取り付け構造。
【発明の詳細な説明】
【技術分野】
【０００１】
本発明は、各種機器を収納するキャビネットの内部の換気を行うための換気口を被覆するルーバーのカバー取り付け構造に関するものである。
【背景技術】
【０００２】
キャビネット３１に設けられた換気口にルーバー本体３２を固定具により取り付ける。ルーバー本体３２には防塵用のフィルター３３が取り付け可能であり、ルーバー本体３２はフィン３４が形成されているカバー３５により被覆される。フィルター３３の交換がキャビネット３１の外側から行えるようにカバー３５は着脱可能である。カバー３５はルーバー本体３２に嵌め合わせるだけで取り付けられていて、ルーバー本体３２を回転させることで、フィン３４が水平方向になるように適宜調整していた。
【非特許文献１】２００５カワムラ総合カタログ電設資材編平成１７年５月１日発行
【発明の開示】
【発明が解決しようとする課題】
【０００３】
カバー３５はルーバー本体３２に嵌め合わせているだけで固定構造が施されていないので、振動が加わったりするとカバー３５が回転してしまう虞があった。特に、カバー３５が矩形の場合、回転すると美観が損なわれていた。
【課題を解決するための手段】
【０００４】
そこで本発明は、簡単にルーバー本体にカバーを固定できる構造を提供することを目的とし、その構造は、ルーバーを構成するルーバー本体とカバーとには相互に係合可能である凸部と凹部とを設け、凸部と凹部とを係合させ、カバーをルーバー本体に固定することを特徴とする。
【発明の効果】
【０００５】
本発明に係るルーバーの取り付け構造は、ルーバーを構成するルーバー本体とカバーとには相互に係合可能である凸部と凹部とを設け、凸部と凹部とを係合させ、カバーをルーバー本体に固定するため、カバーをルーバー本体に固定することが可能であり、振動が加わった場合にも、カバーが回転してしまうことがなく、美観を損ねない。
【発明を実施するための最良の形態】
【０００６】
キャビネットに振動が加わってもルーバー本体に取り付けられるカバーの回転防止という目的を、最小の部品点数で作業性の良さを損なわずに実現した。
【実施例１】
【０００７】
本発明に係るルーバーの取り付け構造を図１〜図３の添付図面に基づいて説明する。
【０００８】
キャビネット１の側面には、キャビネット１内の換気のために換気口を設ける。換気口から異物が進入しないようにルーバー２が取り付けられる。ルーバー２は、ルーバー本体３と、固定具（図示せず）、カバー４とから構成される。
【０００９】
ルーバー本体３の内周に勘合部５と勘合部５の位置を示す印６を設ける。また、ルーバー本体３が正位置に取り付けられるように第二の印７を設ける。ルーバー本体３の外周近傍には凸部８を形成する。凸部８は可撓または可動で、ルーバー本体３の内側に移動できる。
【００１０】
カバー４の内周部の上下には係合突起９を形成する。またカバー４の内側、ルーバー本体３に設けた凸部８に対向する位置には凹部９を形成したリブ１０を設ける。
【００１１】
キャビネット１の外側からルーバー本体３を当て、キャビネット１の内側から固定具を当て、ねじ締めの要領で締め付け、ルーバー本体３に示された第二の印７がほぼ正しい位置に来るように仮に固定する。カバー４はルーバー本体３に取り付けられる。ルーバー本体３に設けた凸部８が凹部９に係合することによりルーバー本体３にカバー４を固定するものである。凹部９は複数設け、カバー４の固定位置はカバー４を回転させ別の凹部９に凸部８を係合させることで変更が可能である。
【００１２】
換気口からさらに小さな塵埃等の進入を防ぐため、ルーバー本体３にはフィルター（図示せず）が装着可能である。フィルターの取り付けや交換がキャビネット１の外側からできるように、カバー４は簡単に脱着可能である。
【００１３】
カバー４にはフィン１１が形成されているので、フィン１１が水平に位置しないと美観が損なわれてしまう。また、カバー４が矩形の場合、ルーバー２自体が斜めになってしまうのでさらに見栄えが悪くなるが、凸部８と凹部９によりカバー４の固定位置を微調整し、美観を損なわないようにしている。
【００１４】
また、換気口近傍にファン等を設置した場合、キャビネット１に振動が伝わりやすいが、凸部８と凹部７によりカバー４はルーバー本体３に固定されているので、回転することなく、定まった位置で留まっている。
【産業上の利用可能性】
【００１５】
カバーの固定位置は容易に微調整ができ、且つ凸部と凹部とが係合することによりカバーはルーバー本体に固定されるため、キャビネットにファン等を取り付け振動が起こりやすいような場合にも、カバーが回転することがない。
【図面の簡単な説明】
【００１６】
【図１】本発明に係るルーバーの取り付け構造を示す説明図である。（実施例１）
【図２】本発明に係るルーバーの取り付け構造を示す説明図である。（実施例１）
【図３】図２における要部拡大図である。（実施例１）
【図４】従来技術におけるルーバーを固定した状態を示す説明図である。
【符号の説明】
【００１７】
１    キャビネット
２    ルーバー
３    ルーバー本体
４    カバー
５    勘合部
６    印
７    第二の印
８    凸部
９    凹部
１０  リブ
１１  フィン
【図１】
2007170746.tif 000003
【図２】
2007170746.tif 000004
【図３】
2007170746.tif 000005
【図４】
2007170746.tif 000006
(57)【要約】      （修正有）【課題】一般の扇風機と合体して、水の蒸発潜熱で風の温度を下げる、扇風機の冷風化対策装置を提供する。【解決手段】  構成は一般の扇風機の部品を用いる。安全カバ−表面４は、冷風化対策装置として一体で製作するか、ビス等で固定して一体化する。冷風化対策装置は、網６と水の給水口７と水の供給容器８及び蒸発用タオル９で構成する。網の形状は、円筒状で前後方向は網なしで、安全カバ−表面の中心に水平に設置する。供給容器は、網の外面下部に水平に設置する。タオルは、供給容器内の水１０の水中から、網の全面をリング状に被う様にして水と一体化させる。風の流れは、駆動部１から発生する温風の位置に、タオルを設置する事でタオルの内外部表面を通風する。【選択図】図１
2007170366.tif 000002
【特許請求の範囲】
【請求項１】
（イ）  駆動部１と羽根２及び安全カバ−裏面３は、一般の扇風機の部品を用いる。
（ロ）  安全カバ−表面４は、冷風化対策装置５と一体で製作するか、冷風化対策装置を一般の扇風機の安全カバ−表面に、ビス等で固定して一体化する。
（ハ）  冷風化対策装置は、網６と水の給水口７と水の供給容器８及び蒸発用タオル９で構成する。
（ニ）  網の形状は、円筒状で前後方向は網なしで、安全カバ−表面の中心に水平に設置（前面は給水口）
（ホ）  供給容器は、網の外面下部に水平に設置（空気抵抗の少ない形状と位置）
（ヘ）  タオルは、供給容器内の水１０の水中から、網の全面をリング状に被う様にして水と一体化させる。
（ト）  風の流れは、駆動部から発生する温風１１の位置に、タオルを設置する事でタオルの内外部表面を通風する（内部通風１２と外部通風１３に分割するが、温風化しない風１４を含んで合流部１５に至る）
【発明の詳細な説明】
【技術分野】
【０００１】  本発明は、一般の扇風機と合体して、水の蒸発潜熱で風の温度を下げる機構に関するものである。
【背景技術】
【０００２】  一般の扇風機は、駆動部からの発熱で室内温度より高い風となり、冷気は風量でカバ−しているのが現状である。
【発明の開示】
【発明が解決しょうとする課題】
【０００３】  合体することで、風量の減少及び乱流域の発生は極力防止して、風の温度は室温より低く設定する（タオルが受ける風向は、内外面共接線方向の渦状で風速は早く、駆動部から発生する温風は優先的に除去）
【０００４】  構造はシンプルで水の供給が容易（安価でトラブルなし）
【課題を解決するための手段】
【０００５】  本発明の構成項目は下記の通り
（イ）  駆動部１と羽根２及び安全カバ−裏面３は、一般の扇風機の部品を用いる。
（ロ）  安全カバ−表面４は、冷風化対策装置５と一体で製作するか、冷風化対策装置を一般の扇風機の安全カバ−表面に、ビス等で固定して一体化する。
（ハ）  冷風化対策装置は、網６と水の給水口７と水の供給容器８及び蒸発用タオル９で構成する。
（ニ）  網の形状は、円筒状で前後方向は網なしで、安全カバ−表面の中心に水平に設置（前面は給水口）
（ホ）  供給容器は、網の外面下部に水平に設置（空気抵抗の少ない形状と位置）
（ヘ）  タオルは、供給容器内の水１０の水中から、網の全面をリング状に被う様にして水と一体化させる。
（ト）  風の流れは、駆動部から発生する温風１１の位置に、タオルを設置する事でタオルの内外部表面を通風する（内部通風１２と外部通風１３に分割するが、温風化しない風１４を含んで合流部１５に至る）
【発明の効果】
【０００６】  本発明の効果項目は下記の通り
（イ）  駆動部から発生する温風は、優先的に除去することで室温以下に実現した。
（ロ）  供給容器内の水は、水面からとタオル全面に含水させて蒸発（事前に給水しておくと送風と同時に冷風発生）
（ハ）  風量の減少及び乱流域の発生は抑制（理想的）
（ニ）  構造はシンプルで水の供給が容易（安価でトラブルなし）
【発明を実施するための最良の形態】
【０００７】  一般の扇風機と合体することで、合理的に冷風化は実現した。
【利用の可能性チェック】
【０００８】  （イ）  安全カバ−の表面と網は、一体又は一体化で構成する。
（ロ）  網の設定基準は、温風位置とタオルの含水限界範囲で、位置及び外径寸法を設定する（長さは随時検討）
（ハ）  供給容器は、水量を確認するため透明のプラスティック製（容量は随時検討）
（ニ）  タオルは、含水率と供給及び蒸発能力で選定する（厚みは複数重ね可）
【図面の簡単な説明】
【０００９】
【図１】は、本発明の詳細図
【図２】は、風の流れ図
【符号の説明】
【００１０】    １  駆動部            （扇風機の部品）
２  羽根              （扇風機の部品）
３  安全カバ−裏面    （扇風機の部品）
４  安全カバ−表面    （網と一体又は扇風機の部品）
５  冷風化対策装置    （符号６〜９で構成）
６  網                （安全カバ−表面と一体が理想）
７  給水口            （開放タイプ）
８  供給容器          （透明のプラスティック製）
９  タオル            （厚みは複数重ね可）
１０  水                （蒸発潜熱発生用）
１１  温風              （駆動部の熱で発生）
１２  内部通風          （タオルに対する）
１３  外部通風          （タオルに対する）
１４  温風化しない風    （駆動部と接しない風）
１５  合流部            （符号１２〜１４で構成）
【図１】
2007170366.tif 000003
【図２】
2007170366.tif 000004
(57)【要約】【課題】従来の冷蔵庫は、使用する空間が固定されているため、予備的な空間を保つため常時使用する大きさよりも大きい冷蔵庫が必要とされている。常時使用に足りる大きさの冷蔵庫は空間に制約が、予備的な空間のある大きい冷蔵庫はエネルギー的、空間的無駄が生じている。【解決手段】冷蔵庫と別個の断熱構造予備キャビネットを用意し、常時使用よりも大きな空間の必要な場合に冷蔵庫とキャビネットを連結し冷蔵庫の冷気をキャビネットに送り込み冷却してキャビネットを冷蔵庫として使用する。不必要な場合には連結を遮断し元の大きさの空間の冷蔵庫と常温のキャビネットとして使用する。【選択図】なし【特許請求の範囲】
【請求項１】
冷蔵庫と別個に断熱構造のキャビネットを用意し、冷蔵庫とキャビネット双方に開閉可能な通気孔を一つ以上設け、それぞれの通気孔を連結し冷蔵庫の冷気をキャビネットに送り込みキャビネットを冷蔵庫として使用する。
【発明の詳細な説明】
【技術分野】
【０００１】  本発明は、冷蔵庫の使用空間を、予備的に大きくしようとするものである。
【背景技術】
【０００２】  従来の冷蔵庫は、使用する空間が固定されているため、予備的な空間を保つため常時使用するに足りる大きさより更に大きい冷蔵庫が必要とされている。
【発明の開示】
【発明が解決しようとする課題】
【０００３】  常時使用に足りる大きさの冷蔵庫は使用する空間に制約が、予備的に使用する空間を用意した大きさの冷蔵庫は、常時使用時にはエネルギー的、空間的に無駄が生じている。【０００４】  本発明は、常時使用の冷蔵庫に一時的冷蔵庫空間を設けて、エネルギー的、空間的に無駄を無くしょうとするものである。
【課題を解決するための手段】
【０００５】  冷蔵庫とは別個の予備のキャビネットを用意し、一時的により大きな冷蔵庫空間を必要とする場合に、冷蔵庫とキャビネットを連結し冷蔵庫内の冷気をキャビネット内に送り込みキャビネット内を冷却し冷蔵庫として使用する。【０００６】  キャビネットを冷蔵庫として使用しない場合は、連結を遮断し平常の温度のキャビネットとして使用する。【０００７】  キャビネットの形態は、冷却装置を取り除いた冷蔵庫すなわちクーラーボックス状の断熱構造とする。【０００８】  冷蔵庫とキャビネットの連結は、相互に開閉できる通気孔を一つ以上設け、双方の通気孔が重ね合わさる位置にして連結するか、ホースで双方を連結する。【０００９】  通気孔の大小に応じて通気を促すためのファンを取り付ける場合もある。
【発明の効果】
【００１０】  上述の手段により、エネルギー的、空間的に無駄を無くすることが出来る。
【発明を実施するための最良の形態】
【００１１】  冷蔵庫とキャビネットの双方、特にキャビネットの作動状態をランプ等で表示する。
(57)【要約】【課題】  従来の携帯電話の充電器は、家庭用１００ボルトなどの固定電源を必要とするか、乾電池などを使用した携帯型のもので、携帯電話の高機能化により、バッテリーの消耗が激しい現在の使用環境において、あらゆる環境下でバッテリー切れを心配することなく容易に充電可能な充電器の実現が要望されていた。【解決手段】携帯型の充電器の内部に自家発電機能を設けることで、乾電池等の消耗品を購入することなく、あらゆる環境下で半永久的な充電が可能となる。【選択図】図１
2007259683.tif 000002
【特許請求の範囲】
【請求項１】
発電ユニット（２）と、回転ハンドル（５）を付したぜんまいユニット（３）を直結し、前記発電ユニット（２）に携帯電話コネクター（１）を設けた携帯電話用充電器。
【請求項２】
回転ハンドル（５）を付した発電ユニット（２）にバッテリー（４）を設け、左記バッテリーに携帯電話コネクター（１）を設けた携帯電話用充電器。
【発明の詳細な説明】
【技術分野】
【０００１】  本発明は１００ボルト電源や乾電池を必要としない携帯電話の充電器に関する。
【背景技術】
【０００２】  従来の携帯電話の充電器は家庭用１００ボルト電源を使用して充電する。
また、それ以外に、１００Ｖ電源の使用できない屋外で携帯電話のバッテリーが切れてしまったときに対応できる乾電池式の充電器がある。
【発明の開示】
【発明が解決しようとする課題】
【０００３】  以上に述べた家庭用１００ボルト電源を使用する充電器では、屋外で携帯電話を使用中にバッテリーが切れてしまった場合は、充電が出来ずに携帯電話の連続使用が不可能となってしまう。
このような場合に、前述の乾電池式の携帯型の充電器を使用しているのが現状であるが、電源が乾電池式のために、その都度、新しい乾電池を購入する必要があり、不経済である。
尚且つ、乾電池の購入が困難な地域で携帯電話のバッテリーが切れてしまった場合は、対応が不可能である。
特に、近年においては、携帯電話の高機能化により、インターネットやメール送受信、チャットや音楽鑑賞等、携帯電話のバッテリーを急速に消耗する傾向にあり、いかなる環境下においても充電が可能な携帯型の充電器の具現化を要望する声が急増している現状にある。【０００４】  本発明は、このような従来の充電器がかかえる問題点を解決しようとするものであり、いかなる環境下においても充電が可能な携帯型の充電器を実現することを目的とするものである。
【課題を解決するための手段】
【０００５】  そして、本発明は上記目的を達成するために、図１に示すように、コイルと強磁石から構成される発電ユニット（２）の回転軸のシャフトと、回転ハンドル（５）を付したぜんまいユニット（３）の回転軸のシャフトを直結し、前記発電ユニット（２）から得られる電気を携帯電話に送電する携帯電話コネクター（１）を設けたものである。【０００６】  また第２の課題解決手段は、図２に示すように、回転ハンドル（５）を付した発電ユニット（２）に、発電ユニット（２）から送電される電気を蓄電するバッテリー（４）を設け、左記バッテリー（４）で蓄電された電気を送電する携帯電話コネクター（１）を設けたものである。【０００７】  上記第１の課題解決手段による作用は次の通りである。すなわち、ぜんまいユニット（３）の復元力によって発電ユニット（３）を作動させ、そこから発生する電気を携帯電話に送電することで、１００ボルト電源や乾電池等を使用せず、いかなる環境下でも半永続的に使用可能な携帯型の充電器が実現できる。【０００８】  また、第２の課題解決手段による作用は、本発明自体にバッテリー（４）が設けられているため、予め回転ハンドル（５）を手動で回転させ本発明のバッテリーに蓄電しておくことで、携帯電話のバッテリー切れの際に、スペアのバッテリーを交換するような容易さで、瞬時に対応が可能である。
【発明の効果】
【０００９】  上述したように、本発明の充電器は、乾電池等を使用することなく自ずから発電するため、いかなる環境下においても携帯電話への充電が可能であるのと同時に、従来製品による乾電池等の消費による資源の浪費防止や環境保全に貢献できる。
【発明を実施するための最良の形態】
【００１０】  以下、本発明の実施の形態を図１〜図２に基づいて説明する。【００１１】  図１は第１の課題解決手段に対応する図であるが、コイルとネオジウム鉄ボロン等の希土類系の強磁石から構成される発電ユニット（２）の回転軸のシャフトと、回転ハンドル（５）を付し、巻き上げの復元に１５分程度の時間を要するようなギア構成を設けた回転軸を有するぜんまいユニット（３）の回転軸のシャフトを直結し、前記発電ユニット（２）から得られる電気を携帯電話に送電する携帯電話コネクター（１）を設ける。
尚、携帯電話コネクターについては、各メーカーごとの形状に合わせたタイプを本発明に各々交換結合できるような構造にするのが望ましい。【００１２】  図２は第２の課題解決手段に対応する図であるが、回転ハンドル（５）を付したコイルとネオジウム鉄ボロン等の希土類系の強磁石から構成される発電ユニット（２）に、発電ユニット（２）から送電される電気を蓄電するバッテリー（４）を設け、左記バッテリー（４）で蓄電された電気を送電する携帯電話コネクター（１）を設ける。
尚、携帯電話コネクターについては、各メーカーごとの形状に合わせたタイプを本発明に各々交換結合できるような構造にするのが望ましい。【００１３】  以上の構成により、回転ハンドルを手動で回すだけで、本発明は自ら発電することで、乾電池等を使用することなく携帯電話への充電が半永久的に可能となるのである。
【図面の簡単な説明】
【００１４】
【図１】  請求項１に記載の本発明の実施形態を示す断面構造図
【図２】  請求項２に記載の本発明の実施形態を示す断面構造図
【符号の説明】
【００１５】１  携帯電話コネクター
２  発電ユニット
３  ぜんまいユニット
４  バッテリー
５  回転ハンドル
【図１】
2007259683.tif 000003
【図２】
2007259683.tif 000004
(57)【要約】【課題】品質の良い回線を使用することが可能な無線通信システムの移動局回線接続制御方式を提供する。【解決手段】複数の基地局２が接続された制御局１と、複数の基地局２との間で複数の回線を使用して無線通信を行う移動局３で構成される無線通信システムにおいて、制御局１は、各回線毎の通話使用頻度の統計をとり、使用頻度の低い回線には空線信号を出さないことで、移動局３は空線信号を出している回線を通して制御局１と接続することを特徴とする。【選択図】図１
2007259181.tif 000002
【特許請求の範囲】
【請求項１】
複数の基地局が接続された制御局と、前記複数の基地局との間で複数の回線を使用して無線通信を行う移動局で構成される無線通信システムにおいて、前記制御局は、各回線毎の通話使用頻度の統計をとり、使用頻度の低い回線には空線信号を出さないことで、前記移動局は空線信号を出している回線を通して前記制御局と接続することを特徴とする無線通信システムの移動局回線接続制御方式。
【発明の詳細な説明】
【技術分野】
【０００１】
本発明は、無線通信システムの移動局回線接続制御方式に関するものである。
【背景技術】
【０００２】
図２は、従来技術による無線通信システムの構成図である（文献公知発明に係るものではない）。
【０００３】
図２において、１は制御局、２は複数の基地局、３は移動局で、複数の基地局２は移動局３例えば列車が移動する線路に沿って間隔をおいて配置される。複数の基地局２は制御局１に接続され、基地局２と移動局３は無線通信を行う。
【０００４】
従来の通信無線システムでは、制御局１は未使用回線すべてに空線信号を出しており、移動局３から制御局１への接続は無線回線の状態に無関係に行っている。
【０００５】
なお、無線通信システムに関する公知文献としては、例えば、特許文献１等が挙げられる。
【０００６】
【特許文献１】特開２００１−２７８０４９号公報
【発明の開示】
【発明が解決しようとする課題】
【０００７】
前述の従来の無線通信システムでは、基地局や無線回線のレベル変動がそのまま接続回線の品質に影響するため、接続しようとしても接続できなかったり、接続できた場合でも通話が聞き取りにくかったりして、データ伝送が正常に行えない等の欠点があった、
本発明の目的は、品質の良い回線を使用することが可能な無線通信システムの移動局回線接続制御方式を提供することにある。
【課題を解決するための手段】
【０００８】
本発明は、複数の基地局が接続された制御局と、前記複数の基地局との間で複数の回線を使用して無線通信を行う移動局で構成される無線通信システムにおいて、前記制御局は、各回線毎の通話使用頻度の統計をとり、使用頻度の低い回線には空線信号を出さないことで、前記移動局は空線信号を出している回線を通して前記制御局と接続することを特徴とする。
【発明の効果】
【０００９】
本発明によれば、品質の良い回線を使用することが可能な無線通信システムの移動局回線接続制御方式を得ることができる。
【発明を実施するための最良の形態】
【００１０】
図１は、本発明による無線通信システムの実施の形態の構成図である。
【００１１】
図１において、１は制御局、２は基地局、３は移動局で、複数の基地局２は移動局３例えば列車が移動する線路に沿って間隔をおいて配置される。複数の基地局２は制御局１に接続され、基地局２と移動局３は無線通信を行う。
【００１２】
４は制御局１の回線接続制御部、５は制御局１の無線電界強度監視部であり、回線接続制御部４は無線電界強度監視部５に接続され、無線電界強度監視部５は複数の基地局２に接続される。
【００１３】
移動局３から送信を行うと、基地局２を経由し、制御局１に接続する。回線接続制御部４では、各回線毎の通話使用頻度の統計をとる。また無線電界強度監視部５にて検出した無線電界強度の統計をとる。
【００１４】
回線接続制御部４では、統計をとった結果、使用頻度の低い回線や、無線電界強度が著しく低下している回線については、空線信号を出さないことで、その回線を使用できなくする。
【００１５】
したがって、移動局は空線信号を出している回線を通して前記制御局と接続するが、その際、使用頻度の低い回線がはぶかれるので、品質の良い回線を使用することが可能となる。
【００１６】
また本実施の形態では、無線電界強度が著しく低下している回線もはぶかれるので、品質の良い回線のみを使用することが可能で且つ接続効率を上げることも可能である。
【図面の簡単な説明】
【００１７】
【図１】本発明による無線通信システムの実施の形態の構成図である。
【図２】従来技術による無線通信システムの構成図である。
【符号の説明】
【００１８】
１：制御局、２：基地局、３:移動局、４:回線接続制御部、５：無線電界強度監視部。
【図１】
2007259181.tif 000003
【図２】
2007259181.tif 000004
(57)【要約】【課題】現在製造されている含蜜糖は、濃い褐色であるため、白い製品を望む食品分野では、その原料としては不向きという問題がある。【手段】さとうきびから皮を取り除いて、その汁液を脱色処理し、その液をｐｈ7〜9に調整および、液中の溶存酸素を不活性ガスに置換し、不活性ガス気流中において短時間で加熱濃縮し、無色透明の濃宿液状の含蜜糖を得る。その濃縮液状の含蜜糖をさらに、攪拌冷却して固化し白色の固形状含蜜糖を得る。その固形状含蜜糖をさらに、粉砕して白色の粉状含蜜糖を得る。【特許請求の範囲】
【請求項１】
以下、（1）〜（5）の処理工程を含むことを特徴とする無色透明の液状含蜜糖の製造方法。
さとうきびから皮を取り除いて柔組織を得る工程。
前記柔組織から得られる汁液をろ過し異物を除去する工程。
前記汁液を脱色処理する工程。
前記脱色処理液を石灰等でｐｈ7〜9に調整および液中の溶存酸素を不活性ガスと置換する工程。
前記（4）の処理液を不活性ガス気流中で短時間で加熱濃縮し、無色透明の液状含蜜糖を得る工程。
【請求項２】
請求項1（1）〜（5）の工程に加え、請求項1で得られる液状含蜜糖を攪拌冷却工程で固化する白色の固形状含蜜糖の製造方法、および、その後粉砕する白色の粉状含蜜糖の製造方法。
【請求項３】
請求項1および請求項2の各工程の処理の程度を調整することによる、例えば琥珀色あるいは淡褐色等の含蜜糖の製造方法。
【発明の詳細な説明】
【技術分野】
【０００１】
本発明は、さとうきびを原料とする液状または固形状または粉状の含蜜糖の製造方法に関する。
【背景技術】
【０００２】
含蜜糖は、主に沖縄で製造されており、「黒糖」と呼ばれており濃い褐色である。
【０００３】
また、「黒糖」に「粗糖」を混ぜ合わせる「白い黒糖」の製造方法も提案されているが、従来の「黒糖」と比較して「白っぽい黒糖」ということであって、「白色の黒糖」ではない。
【特許文献１】特開昭６０−１３３９００
【発明の開示】
【発明が解決しようとする課題】
【０００４】
従来の含蜜糖は、液状、固体、粉状のどれも濃い褐色であり、白色の製品を望む食品分野では、その原料として不向きなどの問題がある。
【課題を解決するための手段】
【０００５】
上記課題は、本発明の次のような手段によって解決される。
【０００６】
請求項1は、以下、（1）〜（5）の処理工程を含むことを特徴とする無色透明の液状含蜜糖の製造方法。
さとうきびから皮を取り除いて柔組織を得る工程。
前記柔組織から得られる汁液をろ過し異物を除去する工程。
前記汁液を脱色処理する工程。
前記脱色処理液を石灰等でｐｈ7〜9に調整および液中の溶存酸素を不活性ガスと置換する工程。
前記（4）の処理液を不活性ガス気流中で短時間で加熱濃縮し、無色透明の液状含蜜糖を得る工程。
【０００７】
請求項2は、請求項1（1）〜（5）の工程に加え、請求項1で得られる液状含蜜糖を攪拌冷却工程で固化する白色の固形状含蜜糖の製造方法、および、その後粉砕する白色の粉状含蜜糖の製造方法。
【０００８】
請求項3は、請求項1および請求項2の各工程の処理の程度を調整することによる、琥珀色並びに淡褐色の液状含蜜糖、固形状含蜜糖、粉状含蜜糖の製造方法。
【発明の効果】
【０００９】
請求項1によると、無色透明の液状含蜜糖が製造可能。
【００１０】
請求項2によると、白色の固形状含蜜糖、および、白色の粉状含蜜糖が製造可能。
【００１１】
請求項3によると、琥珀色並びに淡褐色の液状含蜜糖、固形状含蜜糖、粉状含蜜糖が製造可能。
【実施例】
【００１２】
本発明の一実施例を記述する。皮を取り除いたさとうきびの柔組織の搾汁液をろ過して異物を取り除き、その液に窒素ガスを吹き込み、その液を活性炭で無色透明に脱色処理し、その液に石灰を投入してｐｈ8〜9に調整し、その液を15分程度加熱濃縮して無色透明の濃縮含蜜糖液を得た。
【産業上の利用可能性】
【００１３】
本発明による、無色透明、あるいは、白色の含蜜糖に植物等のエキスを添加することによりその有用成分を含む、エキスの色の甘味料を製造することが可能。例えば、ハイビスカスの花のエキスを添加すれば、ハイビスカス由来の有用成分を含む、あざやかな紅い甘味料の生成が可能。
(57)【要約】      （修正有）【課題】犬等が散歩の途中で脱糞しても、糞は、地面に落ちず糞を溜める袋に収めることのできる自動糞取り装置の提供。【解決手段】基体２の開口部３下部に糞を溜める袋８を取付けた状態で基体２のフック５を上に糞溜め袋を手前にして、開口部３上部に尻尾を通して根元まで入れると、糞溜め袋８の入り口が肛門に位置する。この状態から輪ゴムを連ねた左右のゴム紐７を、股の下から後足の前に出し、さらに腰の上に廻して基体２にあるフック５に引っ掛けて装着する。【選択図】図１
2007259845.tif 000002
【特許請求の範囲】
【請求項１】
犬や馬などに予め装着して、路上で脱糞しても、糞を、地上におとさず袋の中に収納することのできる、自動糞取り装置（１）（以下、自動糞取り装置と表す）
この自動糞取り装置（１）は、軟質の合成樹脂などでなる基体と、硬質の合成樹脂などでなるフック部（５）と引っ掛け部（４）の２層構造で出来ていて、そこに使い捨てのビニール袋を取付けて出来ている、体の曲線にフイットさせる、軟質の合成樹脂やバネ製の金属などでなる、板状の基体（２）は、中央に尻尾と糞を溜める袋（８）の少し開いた開放端（９）を通す縦長の開口部（３）がある、開口部（３）の周囲の基体（２）も縦長の長方形であるが、縦長の開口部（３）の上から３分の１の位置と、最下端には、基体（２）よりさらに水平方向に突出した硬質の合成樹脂などでなる４箇所の引っ掛け部（４）が設けられている、引っ掛け部（４）は糞で重くなった、糞を溜める袋（８）がずり落ちないために、ビニール袋にある穴（１０）を通して保持する為のものである、
基体（２）の上端に基体（２）よりさらに水平方向に張り出した硬質の合成樹脂などでなるフック部（５）を備え、基体（２）の下端部左右に輪ゴムを連ねた紐（７）の一端が輪ゴム取付け部（６）に取付けてぶら下げられている、ビニールなどで出来た、糞を溜める袋（８）には、開放端附近に引っ掛け部（４）を通す４箇所の穴（１０）が設けられている、糞を溜める袋（８）の開放端（９）を基体（２）の開口部（３）下半分に通した所で、開放端（９）を左右に広げ、折り返して基体（２）の左右４箇所の引っ掛け部（４）に穴（１０）を通して引っ掛けて、保持させたことを特徴とした、自動糞取り装置（１）。
【発明の詳細な説明】
【発明の詳細な説明】
【技術分野】
【０００１】本発明は、飼い主が犬などを散歩に連れて行くときに、予め自動糞取り装置を装着して行くと、散歩の途中で脱糞しても、糞は地上には落ちず、糞を溜める袋の中に収まるので、道路を汚さずそのまま持ち帰ることができる。
【背景技術】
【０００２】従来、飼い犬のした糞は、飼い主が拾って持ち帰ったりした。
【発明が解決しょうとする課題】
【０００３】従来のように、飼い主が始末していけばよいが、そのまま放置していく飼い主もいた。
【０００４】本発明は、従来の技術の有するこのような問題点に鑑みてなされたものであり、その目的とするところは、飼い主が拾って始末するのではなく、飼い犬が脱糞しても、糞は地上には落ちず、糞を溜める袋の中に収めるようにした、自動糞取り装置を提供しようとするものである。
【課題を解決するための手段】
【０００５】上記目的を達成するために、本発明の自動糞取り装置においては、道路に糞を落とさないために、散歩に行くときは、予め自動糞取り装置を装着して行くと良い。
【０００６】これを犬等に装着するには、基体のフックを上に、糞溜め部を手前にして、開口部の上部より尻尾を引き出して根元まで基体を入れると、糞を溜める袋の入り口が肛門の位置に合わされます、そして輪ゴムを連結した紐を後肢の股の間を通して後肢の前に出し、２本のゴムひもを左右に分けて腰の上に廻して基体のフックに引っ掛けて固定することができる。
【発明を実施するための最良の形態】
【０００７】上記のように構成された自動糞取り装置は、装着された犬等が歩いたり走ったりすることに、何ら支障が無い。
【実施例】
【０００８】実施例について図面を参照して、例として柴犬などの中、小型犬用のサイズで説明すると、図１において、基体の幅９ｃｍ高さ１２ｃｍ厚さ０，５ｃｍから１、５ｃｍで、基体中央に幅３、３ｃｍ高さ６、５ｃｍほどの縦長の開口部を設け、上部に基体より水平方向に伸長した硬質の合成樹脂などでなるフック部を備え、開口部の上から３分の１の位置と下端部に水平方向に突出した硬質の合成樹脂などでなる４本の引っ掛け部を設けている、これにつける糞溜め袋は市販のビニール袋で、規格袋Ｎｏ．、９（厚さ０．０３ｍｍ×ヨコ１５ｃｍ×タテ２５ｃｍ）を使用する、袋の開放端附近に基体の引っ掛け部に引っ掛けるための穴が４箇所あけられている、基体の下端部の左右にある輪ゴム取付け部に、輪ゴムを連ねたゴム紐がぶら下げられている、この開口部の下半分に図２で示すように、糞を溜める袋の開放端から通して、その開放端を左右に広げ引っ張ってそこで折り返して袋の穴を引っ掛け部に引っ掛けて袋は保持される、このビニール袋は、使用後、使い捨てにすればよい。【０００９】図３において糞を溜める袋を取付けて、反対側から見ると開口部の上半分は、尻尾を出すことが出来下半分は、袋の入口になっている、図４で示すように、尻尾を通す開口に尻尾を通して根元まで入れると糞を溜める袋の入り口が犬の肛門の位置に合うようになっている、さらに図５で示すように、輪ゴムをつらねたゴム紐を後脚の股下を通して後ろ足の前、腹の下に出し、左右に分けてゴム紐を腰の上に廻し基体のフックに引っ掛ければよい。
【発明の効果】
【００１０】本発明は、以上説明したように構成されているので、以下に記載されるような効果を奏する。
【００１１】自動糞取り装置を装着して散歩中、犬が脱糞しても糞は、糞溜め袋の中に収まるので、そのまま帰宅して、糞溜め袋をはずして中にある糞をトイレで流せばよい、地域の飼い主、全てが、自動糞取り装置を使用すれば、糞害ゼロの町ができる、また、馬での警備、馬でのパレードなどの時にも、この自動糞取り装置を装着していれば、道路に糞を落とすことはない。
【００１２】糞溜め袋は、どこのスーパーマーケットでも売っているビニール袋でよい、１００枚入り１００円ほどなので、１枚１円ですみ、毎日使っても負担も軽くてすむ、馬の場合は、麻袋などを使用しても良い。
【図面の簡単な説明】
【図１】自動糞取り装置の糞を溜める袋を付ける前の状態の斜視図。
【図２】基体に糞を溜める袋を取付けた斜視図。
【図３】基体に糞を溜める袋を付けた状態の反対側から見た斜視図。
【図４】基体の尻尾を通す開口に尻尾をつけ根まで入れた実施態様を示した側面図。
【図５】犬に自動糞取り装置を装着した状態を示した斜視図。
【符号の説明】
１    自動糞取り装置
２    基体
３    開口部
４    引っ掛け部
５    フック
６    輪ゴム取付け部
７    輪ゴムを連結した紐
８    糞溜め袋
９    袋の開放端
１０  穴
【図１】
2007259845.tif 000003
【図２】
2007259845.tif 000004
【図３】
2007259845.tif 000005
【図４】
2007259845.tif 000006
【図５】
2007259845.tif 000007